(57)【要約】      （修正有）【課題】  複数の装置で共用され、ボリュームへのアクセスに掛かる時間が不安定になる可能性があるストレージエリアネットワークの問題を解決する。【解決手段】  複数の情報処理装置２１、ストレージ装置４１、ネットワーク機器３１及びネットワークと、管理装置１とからなるストレージエリアネットワーク管理システムにおいて、管理装置１は、ネットワーク機器３１の接続構成情報と接続経路の性能情報、及びストレージ装置４１の性能情報と容量情報を保存する記憶装置１０と、情報処理装置２１にボリュームを割当てるストレージ装置４１を選択するストレージ選択手段１３を具備しており、ストレージ選択手段１３は、情報処理装置２１が必要とするボリュームの容量及びストレージ装置４１の性能を満たし、かつ、情報処理装置２１との間の通信で必要とするネットワークの帯域が設定されるネットワーク機器３１が有るストレージ装置４１を選択する。【選択図】        図１
2006079386.tif 000002
【特許請求の範囲】
【請求項１】
複数の情報処理装置と、複数のストレージ装置と、前記情報処理装置と前記ストレージ装置が接続され、前記情報処理装置と前記ストレージ装置間の通信で使用するネットワークの帯域が設定されるネットワーク機器を有するストレージエリアネットワークと、前記情報処理装置、前記ストレージ装置及び前記ストレージエリアネットワークに接続し管理する管理装置とからなるストレージエリアネットワーク管理システムにおいて、
前記管理装置は、前記ネットワーク機器の接続構成情報と接続経路の性能情報、及び前記ストレージ装置の性能情報と容量情報を保存する記憶装置と、前記情報処理装置にボリュームを割当てるストレージ装置を選択するストレージ選択手段を具備しており、該ストレージ選択手段は、前記情報処理装置にボリュームを割当てる際に、該情報処理装置が必要とするボリュームの容量及びストレージ装置の性能を満たし、かつ、前記情報処理装置との間の通信で必要とするネットワークの帯域が設定されるネットワーク機器を接続経路に有するストレージ装置を、前記記憶装置が保存する情報を元に、選択することを特徴とするストレージエリアネットワーク管理システム。
【請求項２】
請求項１記載のストレージエリアネットワーク管理システムにおいて、
前記管理装置は、選択したストレージ装置へボリュームを作成し、前記情報処理装置に割当てることを指示する割当指示手段を具備しており、該割当指示手段は、前記ストレージ選択手段で選択したストレージ装置に対して、前記情報処理装置が必要とする容量のボリュームを作成する指示と、作成したボリュームを前記情報処理装置に割当てる指示を送信することを特徴とするストレージエリアネットワーク管理システム。
【請求項３】
請求項２記載のストレージエリアネットワーク管理システムにおいて、
前記管理装置は、接続経路を構成するネットワーク機器に対して、前記情報処理装置と選択したストレージ装置が使用するネットワークの帯域の設定を指示する設定指示手段を具備しており、該設定指示手段は、前記情報処理装置と該情報処理装置にボリュームを割当てるストレージ装置とを接続するネットワーク機器を、前記記憶装置の情報から選択するとともに、選択したネットワーク機器に対し、前記情報処理装置が必要とするネットワークの帯域を設定するよう指示することを特徴とするストレージエリアネットワーク管理システム。
【請求項４】
請求項１記載のストレージエリアネットワーク管理システムにおいて、
前記ストレージ選択手段でボリュームを割当てるストレージ装置を選択する際に、前記情報処理装置が必要とするボリュームの容量及びストレージ装置の性能を満たすストレージ装置は有るが、前記情報処理装置と前記ストレージ装置間の通信で必要とするネットワークの帯域が設定されるネットワーク機器が無い場合、前記情報処理装置と前記ストレージ装置間で既に設定しているネットワーク機器におけるネットワークの帯域を割当て済みのボリューム単位に減少させて、前記情報処理装置と前記ストレージ装置間のネットワークの帯域を調整し、新規に割当てるボリュームのためのネットワークの帯域を確保したストレージ装置を、ボリュームを割当てるストレージ装置として選択する調整選択手段を具備することを特徴とするストレージエリアネットワーク管理システム。
【請求項５】
請求項１記載のストレージエリアネットワーク管理システムにおいて、
前記管理装置は、出力装置と入力装置を具備しており、そして、前記ストレージ選択手段で複数の前記ストレージ装置を選択した場合に、選択した複数のストレージ装置についての空き容量と性能と前記情報処理装置との間のネットワークの空き帯域の各情報を前記出力装置に出力し、該出力装置に出力した情報の中から前記入力装置で選択して指示されたストレージ装置を、前記情報処理装置にボリュームを割当てるストレージ装置とすることを特徴とするストレージエリアネットワーク管理システム。
【請求項６】
複数の情報処理装置と、複数のストレージ装置と、前記情報処理装置と前記ストレージ装置が接続され、前記情報処理装置と前記ストレージ装置間の通信で使用するネットワークの帯域が設定されるネットワーク機器を有するストレージエリアネットワークとに接続し管理する管理装置において、
前記ネットワーク機器の接続構成情報と接続経路の性能情報、及び前記ストレージ装置の性能情報と容量情報を保存する記憶装置と、前記情報処理装置にボリュームを割当てるストレージ装置を選択するストレージ選択手段を具備しており、該ストレージ選択手段は、前記情報処理装置にボリュームを割当てる際に、該情報処理装置が必要とするボリュームの容量及びストレージ装置の性能を満たし、かつ、前記情報処理装置との間の通信で必要とするネットワークの帯域が設定されるネットワーク機器を接続経路に有するストレージ装置を、前記記憶装置が保存する情報を元に、選択することを特徴とする管理装置。
【請求項７】
複数の情報処理装置と、複数のストレージ装置と、前記情報処理装置と前記ストレージ装置が接続され、前記情報処理装置と前記ストレージ装置間の通信で使用するネットワークの帯域が設定されるネットワーク機器を有するストレージエリアネットワークと、前記情報処理装置、前記ストレージ装置及び前記ストレージエリアネットワークに接続し管理する管理装置とからなるストレージエリアネットワーク管理システムにおけるボリューム割当て方法において、
前記ネットワーク機器の接続構成情報と接続経路の性能情報、及び前記ストレージ装置の性能情報と容量情報を保存することと、前記情報処理装置が必要とするボリュームの容量及びストレージ装置の性能を満たし、かつ、前記情報処理装置との間の通信で必要とするネットワークの帯域が設定されるネットワーク機器を接続経路に有するストレージ装置を、前記記憶装置が保存する情報を元に、選択することとを有し、前記情報処理装置にボリュームを割当てるストレージ装置を選択することを特徴とするボリューム割当て方法。
【請求項８】
請求項７記載のボリューム割当て方法において、
選択したストレージ装置に対して、前記情報処理装置が必要とする容量のボリュームを作成するよう指示することと、作成したボリュームを前記情報処理装置に割当てる指示を送信することとを有することを特徴とするボリューム割当て方法。
【請求項９】
請求項８記載のボリューム割当て方法において、
前記情報処理装置と該情報処理装置にボリュームを割当てるストレージ装置とを接続するネットワーク機器を、前記記憶装置の情報から選択することと、選択したネットワーク機器に対し、前記情報処理装置が必要とするネットワークの帯域を設定するよう指示することとを有することを特徴とするボリューム割当て方法。
【請求項１０】
請求項７記載のボリューム割当て方法において、
ボリュームを割当てるストレージ装置を選択する際に、前記情報処理装置が必要とするボリュームの容量及びストレージ装置の性能を満たすストレージ装置は有るが、前記情報処理装置と前記ストレージ装置間の通信で必要とするネットワークの帯域が設定されるネットワーク機器が無い場合、前記情報処理装置と前記ストレージ装置間で既に設定しているネットワーク機器におけるネットワークの帯域を割当て済みのボリューム単位に減少させて、前記情報処理装置と前記ストレージ装置間のネットワークの帯域を調整することと、新規に割当てるボリュームのためのネットワークの帯域を確保したストレージ装置を、ボリュームを割当てるストレージ装置として選択することとを有することを特徴とするボリューム割当て方法。
【請求項１１】
請求項７記載のボリューム割当て方法において、
複数の前記ストレージ装置を選択した場合に、選択した複数のストレージ装置の空き容量と性能と前記情報処理装置と該ストレージ装置間のネットワークの空き帯域の各情報を前記出力装置に出力することと、該出力装置に出力した情報の中から前記入力装置で選択して指示されたストレージ装置を、前記情報処理装置にボリュームを割当てるストレージ装置とすることとを有することを特徴とするボリューム割当て方法。
【請求項１２】
複数の情報処理装置と、複数のストレージ装置と、前記情報処理装置と前記ストレージ装置が接続され、前記情報処理装置と前記ストレージ装置間の通信で使用するネットワークの帯域が設定されるネットワーク機器を有するストレージエリアネットワークと、前記情報処理装置、前記ストレージ装置及び前記ストレージエリアネットワークに接続し管理する管理装置とからなるストレージエリアネットワーク管理システムにおける管理装置に使用されるコンピュータ・ソフトウエアにおいて、
前記ネットワーク機器の接続構成情報と接続経路の性能情報、及び前記ストレージ装置の性能情報と容量情報を保存する機能と、前記情報処理装置が必要とするボリュームの容量及びストレージ装置の性能を満たし、かつ、前記情報処理装置との間の通信で必要とするネットワークの帯域が設定されるネットワーク機器を接続経路に有するストレージ装置を、保存する情報を元に選択して、前記情報処理装置にボリュームを割当てるストレージ装置を選択する機能をコンピュータに実現するプログラムであることを特徴とするコンピュータ・ソフトウエア。
【発明の詳細な説明】
【技術分野】
【０００１】
本発明は、ストレージエリアネットワークにおいて、情報処理装置にボリュームを割当てる方法に関する。
【背景技術】
【０００２】
ネットワークに接続されるストレージ装置、いわゆるネットワークストレージ装置は、ネットワークを介して、情報処理装置から利用される。ネットワークストレージ装置は、接続するネットワークのプロトコルに従い、情報処理装置との通信を行う。このネットワークの種類は様々であり、ＩＰ（Ｉｎｔｅｒｎｅｔ  Ｐｒｏｔｏｃｏｌ）ネットワークは、その１つである。
【０００３】
ＩＰネットワークには、複数の装置が接続され、各装置がネットワークを共用し、同時に通信する。このため、大量のトラフィックが発生した場合、通信データが消失することがある。また、通信に遅延が発生することがある。このため、ストレージエリアネットワークにおいて、情報処理装置が割当てられたボリュームへアクセスする性能が劣化し、ストレージ装置の性能を最大限に引き出すことが出来なくなる。
【０００４】
この問題を解決する方法として、情報処理装置にボリュームを割当てる際に、情報処理装置とストレージ装置間の応答速度と、ネットワーク機器の数により、ボリュームを割当てるストレージ装置を選択する方法が特許文献１で開示されている。
【特許文献１】特開２００３−１４０９３０号公報
【発明の開示】
【発明が解決しようとする課題】
【０００５】
しかし、前述の通り、ＩＰネットワークは、複数の装置で共用されるため、応答時間は常に変化する。このため、応答時間やホップ数のみでは、通信性能を保証することができない。また、情報処理装置がボリュームへアクセスするための、帯域が保証されないため、ボリュームへのアクセスに掛かる時間が不安定になる可能性がある。
【課題を解決するための手段】
【０００６】
上記課題を解決するため、本発明は、ネットワークを介して通信する装置ごとに、使用する帯域を保証することができるネットワーク機器を用いたストレージエリアネットワークにおいて、各ネットワーク機器の帯域と予約済みの帯域と、ネットワーク機器の接続構成と、ストレージエリアネットワークに接続される情報処理装置とストレージ装置の情報を保存している記憶装置を備え、前記ネットワーク機器と、前記情報処理装置と前記ストレージ装置と接続する管理装置であって、前記管理装置は、前記情報処理装置が必要とするボリュームの容量とストレージ装置の性能を満たし、かつ、前記情報処理装置が必要とするネットワークの帯域を確保できる接続が可能な前記ストレージ装置を選択する第１の手段と、前記ストレージ装置に、前記情報処理装置が必要とする容量のボリュームを作成し、前記ボリュームを前記情報処理装置に割当てる指示を前記ストレージ装置に送信する第２の手段と、前記ネットワーク機器に、前記情報処理装置が必要とする帯域を予約する第３の手段を具備する。
【０００７】
すなわち、本発明は、複数の情報処理装置と、複数のストレージ装置と、前記情報処理装置と前記ストレージ装置が接続され、前記情報処理装置と前記ストレージ装置間の通信で使用するネットワークの帯域が設定されるネットワーク機器を有するストレージエリアネットワークと、前記情報処理装置、前記ストレージ装置及び前記ストレージエリアネットワークに接続し管理する管理装置とからなるストレージエリアネットワーク管理システムにおいて、前記管理装置は、前記ネットワーク機器の接続構成情報と接続経路の性能情報、及び前記ストレージ装置の性能情報と容量情報を保存する記憶装置と、前記情報処理装置にボリュームを割当てるストレージ装置を選択するストレージ選択手段を具備しており、該ストレージ選択手段は、前記情報処理装置にボリュームを割当てる際に、該情報処理装置が必要とするボリュームの容量及びストレージ装置の性能を満たし、かつ、前記情報処理装置との間の通信で必要とするネットワークの帯域が設定されるネットワーク機器を接続経路に有するストレージ装置を、前記記憶装置が保存する情報を元に、選択するストレージエリアネットワーク管理システムである。
【０００８】
また、本発明は、前記管理装置は、選択したストレージ装置へボリュームを作成し、前記情報処理装置に割当てることを指示する割当指示手段を具備しており、該割当指示手段は、前記ストレージ選択手段で選択したストレージ装置に対して、前記情報処理装置が必要とする容量のボリュームを作成する指示と、作成したボリュームを前記情報処理装置に割当てる指示を送信するストレージエリアネットワーク管理システムである。
【０００９】
そして、本発明は、前記管理装置は、接続経路を構成するネットワーク機器に対して、前記情報処理装置と選択したストレージ装置が使用するネットワークの帯域の設定を指示する設定指示手段を具備しており、該設定指示手段は、前記情報処理装置と該情報処理装置にボリュームを割当てるストレージ装置とを接続するネットワーク機器を、前記記憶装置の情報から選択するとともに、選択したネットワーク機器に対し、前記情報処理装置が必要とするネットワークの帯域を設定するよう指示するストレージエリアネットワーク管理システムである。
【００１０】
更に、本発明は、前記ストレージ選択手段でボリュームを割当てるストレージ装置を選択する際に、前記情報処理装置が必要とするボリュームの容量及びストレージ装置の性能を満たすストレージ装置は有るが、前記情報処理装置と前記ストレージ装置間の通信で必要とするネットワークの帯域が設定されるネットワーク機器が無い場合、前記情報処理装置と前記ストレージ装置間で既に設定しているネットワーク機器におけるネットワークの帯域を割当て済みのボリューム単位に減少させて、前記情報処理装置と前記ストレージ装置間のネットワークの帯域を調整し、新規に割当てるボリュームのためのネットワークの帯域を確保したストレージ装置を、ボリュームを割当てるストレージ装置として選択する調整選択手段を具備するストレージエリアネットワーク管理システムである。
【００１１】
また、本発明は、前記管理装置は、出力装置と入力装置を具備しており、そして、前記ストレージ選択手段で複数の前記ストレージ装置を選択した場合に、選択した複数のストレージ装置についての空き容量と性能と前記情報処理装置との間のネットワークの空き帯域の各情報を前記出力装置に出力し、該出力装置に出力した情報の中から前記入力装置で選択して指示されたストレージ装置を、前記情報処理装置にボリュームを割当てるストレージ装置とするストレージエリアネットワーク管理システムである。
【００１２】
そして、本発明は、複数の情報処理装置と、複数のストレージ装置と、前記情報処理装置と前記ストレージ装置が接続され、前記情報処理装置と前記ストレージ装置間の通信で使用するネットワークの帯域が設定されるネットワーク機器を有するストレージエリアネットワークとに接続し管理する管理装置において、前記ネットワーク機器の接続構成情報と接続経路の性能情報、及び前記ストレージ装置の性能情報と容量情報を保存する記憶装置と、前記情報処理装置にボリュームを割当てるストレージ装置を選択するストレージ選択手段を具備しており、該ストレージ選択手段は、前記情報処理装置にボリュームを割当てる際に、該情報処理装置が必要とするボリュームの容量及びストレージ装置の性能を満たし、かつ、前記情報処理装置との間の通信で必要とするネットワークの帯域が設定されるネットワーク機器を接続経路に有するストレージ装置を、前記記憶装置が保存する情報を元に、選択する管理装置である。
【００１３】
更に、本発明は、複数の情報処理装置と、複数のストレージ装置と、前記情報処理装置と前記ストレージ装置が接続され、前記情報処理装置と前記ストレージ装置間の通信で使用するネットワークの帯域が設定されるネットワーク機器を有するストレージエリアネットワークと、前記情報処理装置、前記ストレージ装置及び前記ストレージエリアネットワークに接続し管理する管理装置とからなるストレージエリアネットワーク管理システムにおけるボリューム割当て方法において、前記ネットワーク機器の接続構成情報と接続経路の性能情報、及び前記ストレージ装置の性能情報と容量情報を保存することと、前記情報処理装置が必要とするボリュームの容量及びストレージ装置の性能を満たし、かつ、前記情報処理装置との間の通信で必要とするネットワークの帯域が設定されるネットワーク機器を接続経路に有するストレージ装置を、前記記憶装置が保存する情報を元に、選択することとを有し、前記情報処理装置にボリュームを割当てるストレージ装置を選択するボリューム割当て方法である。
【００１４】
また、本発明は、選択したストレージ装置に対して、前記情報処理装置が必要とする容量のボリュームを作成するよう指示することと、作成したボリュームを前記情報処理装置に割当てる指示を送信することとを有するボリューム割当て方法である。
【００１５】
そして、本発明は、前記情報処理装置と該情報処理装置にボリュームを割当てるストレージ装置とを接続するネットワーク機器を、前記記憶装置の情報から選択することと、選択したネットワーク機器に対し、前記情報処理装置が必要とするネットワークの帯域を設定するよう指示することとを有するボリューム割当て方法である。
【００１６】
更に、本発明は、ボリュームを割当てるストレージ装置を選択する際に、前記情報処理装置が必要とするボリュームの容量及びストレージ装置の性能を満たすストレージ装置は有るが、前記情報処理装置と前記ストレージ装置間の通信で必要とするネットワークの帯域が設定されるネットワーク機器が無い場合、前記情報処理装置と前記ストレージ装置間で既に設定しているネットワーク機器におけるネットワークの帯域を割当て済みのボリューム単位に減少させて、前記情報処理装置と前記ストレージ装置間のネットワークの帯域を調整することと、新規に割当てるボリュームのためのネットワークの帯域を確保したストレージ装置を、ボリュームを割当てるストレージ装置として選択することとを有するボリューム割当て方法である。
【００１７】
また、本発明は、複数の前記ストレージ装置を選択した場合に、選択した複数のストレージ装置の空き容量と性能と前記情報処理装置と該ストレージ装置間のネットワークの空き帯域の各情報を前記出力装置に出力することと、該出力装置に出力した情報の中から前記入力装置で選択して指示されたストレージ装置を、前記情報処理装置にボリュームを割当てるストレージ装置とすることとを有するボリューム割当て方法である。
【００１８】
そして、本発明は、複数の情報処理装置と、複数のストレージ装置と、前記情報処理装置と前記ストレージ装置が接続され、前記情報処理装置と前記ストレージ装置間の通信で使用するネットワークの帯域が設定されるネットワーク機器を有するストレージエリアネットワークと、前記情報処理装置、前記ストレージ装置及び前記ストレージエリアネットワークに接続し管理する管理装置とからなるストレージエリアネットワーク管理システムにおける管理装置に使用されるコンピュータ・ソフトウエアにおいて、前記ネットワーク機器の接続構成情報と接続経路の性能情報、及び前記ストレージ装置の性能情報と容量情報を保存する機能と、前記情報処理装置が必要とするボリュームの容量及びストレージ装置の性能を満たし、かつ、前記情報処理装置との間の通信で必要とするネットワークの帯域が設定されるネットワーク機器を接続経路に有するストレージ装置を、保存する情報を元に選択して、前記情報処理装置にボリュームを割当てるストレージ装置を選択する機能をコンピュータに実現するプログラムであるコンピュータ・ソフトウエアである。
【発明の効果】
【００１９】
本発明によれば、ストレージ装置での割当て可能なボリュームの容量のみでなく、情報処理装置とストレージ装置間の接続経路の空き帯域を元に、ボリュームを割当てるストレージ装置を選択するため、情報処理装置へのボリューム割当てが容易に行え、また、情報処理装置とストレージ装置間の帯域を保証できるため、情報処理装置上のサービスの性能劣化を防ぐことができ、さらに、ストレージ装置の性能を最大限まで活用できる。
【発明を実施するための最良の形態】
【００２０】
本発明を実施するための最良の形態を説明する。
本発明のストレージエリアネットワーク管理システム及び管理装置とボリューム割当方法の実施例について、図面を用いて説明する。
【実施例１】
【００２１】
実施例１を説明する。図１は、本実施例のストレージエリアネットワーク管理システムの構成例である。本実施例の管理装置は、ストレージ選択手段、割当指示手段、設定指示手段及び調整選択手段を具備する。具体的に説明すると、管理装置１は、図１において、演算装置（ＣＰＵ）８、出力装置６、入力装置７、メモリ９、構成情報１０、ネットワーク通信装置１１を備えており、これらはバス１２で接続している。なお、図１では、便宜上、バスを１つで表しているが、複数に分かれていても構わない。メモリ９には、本実施例のストレージエリアネットワーク管理システムにおけるボリューム割当て方法を実現するボリューム割当てプログラム１３と通信制御プログラム１４が格納される。通信制御プログラム１４は、管理用ネットワーク２の通信プロトコルでの通信処理を実施する。この通信処理は、ＩＰネットワークでは、ＴＣＰ／ＩＰの処理に相当する。ボリューム割当てプログラム１３は、通信制御プログラム１４を介して、管理用ネットワーク２にそれぞれ接続されるサーバ２１〜２４、ネットワーク機器３１〜３８及びストレージ装置４１〜４５と通信し、サーバ２１〜２４にストレージ装置４１〜４５のボリュームを割当てると共に、ネットワーク機器３１〜３８へ使用する帯域を設定する。ＣＰＵ８は、入力装置７に接続されるキーボード５から入力されるパラメータに従い、メモリ９上の各プログラムを読み込み、実行し、その結果を出力装置６に接続される表示装置４に表示する。構成情報１０には、ストレージ装置４１〜４５情報と、サーバ２１〜２４の情報と、ネットワーク機器３１〜３８の情報と、サーバ２１〜２４とストレージ装置４１〜４５の接続経路の情報とが格納されている。
【００２２】
符号３は、ネットワーク機器３１〜３８で構成されるストレージエリアネットワーク（以下、ＳＡＮ）である。ネットワーク機器３１〜３８には、サーバ２１〜２４とストレージ装置４１〜４５が使用する帯域を予約することが可能である。各ネットワーク機器３１〜３８は、直接又は他のネットワーク機器を介して管理用ネットワーク２に接続されている。図１では、便宜上ＳＡＮ３が直接管理用ネットワーク２に接続しているように示している。サーバ２１〜２４は、ネットワーク機器３１〜３３を介してＳＡＮ３に接続している。また、ストレージ装置４１〜４５は、ネットワーク機器３６〜３８を介してＳＡＮ３に接続している。サーバ２１〜２４は、ＳＡＮ３を介してストレージ装置４１〜４５上のボリュームを利用することができる。なお、サーバの台数、ストレージ装置の台数、及びＳＡＮを構成するネットワーク機器の接続構成や台数に関して制限はない。
【００２３】
次に、図２から図６を用いて、ボリューム割当てプログラム１３が参照する構成情報１０に格納するデータの詳細を説明する。図２は、構成情報１０に格納しているＳＡＮ３に接続されたストレージ装置４１〜４５の情報を表すストレージ装置管理情報１００の一例である。ボリューム割当てプログラム１３は、ストレージ装置管理情報１００を参照して、サーバ２１〜２４にボリュームを割当てるストレージ装置４１〜４５の候補を選択する。ストレージ装置管理情報１００は、ストレージ装置を識別するための名称１０１と、ストレージ装置の容量を表す容量１０２と、ストレージ装置の残容量を示す残容量１０３と、ストレージ装置が接続しているネットワーク機器を識別するための接続ＮＷ機器１０４と、接続しているネットワーク機器のポートを表すポート１０５と、ストレージ装置が１秒間に実行できる入出力回数を表すＩＯＰＳ１０６と、ＩＯＰＳ１０６のうち、使用することを予約されていないＩＯＰＳを示す残ＩＯＰＳ１０７の各情報で構成する。符号１００ａ〜１００ｅは、ストレージ装置管理テーブル１００に格納しているストレージ装置４１〜４５のレコードである。例えば、レコード１００ａでは、名称１０１からＳｔｏｒａｇｅ４１に関する情報を格納していることを示している。そして、Ｓｔｏｒａｇｅ４１は、容量が１８００、残容量が３００、接続しているネットワーク機器がＳＷ３７、接続ポートが２１、ＩＯＰＳが１５００、残ＩＯＰＳが１０００であることが分かる。
【００２４】
図３は、構成情報１０に格納しているＳＡＮ３に接続されたサーバ２１〜２４の情報を表すサーバ管理情報２００の一例である。サーバ管理情報２００は、サーバ２１〜２４を識別するための名称２０１と、サーバ２１〜２４が接続しているネットワーク機器を示す接続ＮＷ機器２０２と、接続しているネットワーク機器のポートを表す接続ポート２０３の各情報で構成される。符号２００ａ〜２００ｄは、サーバ管理情報２００に格納しているサーバ２１〜２４の情報を表すレコードである。例えば、符号２００ａは、名称２０１がＳｅｒｖｅｒ２１のサーバに関する情報を格納したレコードであり、Ｓｅｒｖｅｒ２１は、ネットワーク機器ＳＷ３１のポート１１に接続していることを示している。
【００２５】
図４は、構成情報１０に格納しているＳＡＮ３を構成するネットワーク機器３１〜３８の情報を表すネットワーク機器管理情報３００の一例である。ネットワーク機器管理情報３００は、ネットワーク機器を識別するための名称３０１と、他の機器との通信に使用しているポート３０２と、ポート３０２が示すポートの最大帯域を表す帯域３０３と、ポート３０２が示すポートの未使用の帯域を示す残帯域３０４と、ポート３０２が示すポートに接続している機器を識別するための接続機器名称３０５の各情報で構成する。符号３００ａ〜３００ｋは、ネットワーク機器管理情報３００に格納しているネットワーク機器３１〜３４に関するレコードである。例えばレコード３００ａは、名称３０１がＳＷ３１のネットワーク機器に関する情報を格納したレコードであり、ポート１１の最大帯域が１５００、残帯域が１３００、接続機器がＳｅｒｖｅｒ２１であることを示している。さらにレコード３００ｂからネットワーク機器であるＳＷ３１は、ポート２１の最大帯域が１５００、残帯域が１３００であり、ＳＷ３４が接続されていることが分かる。
【００２６】
図５は、構成情報１０に格納しているサーバとストレージ装置間の接続経路を示す、接続経路情報４００のデータ形式の一例である。接続経路情報４００は、各レコードが、どのサーバとストレージ装置間の接続経路を示すかを判断するための、サーバとストレージ装置の名称と、その経路の残帯域を格納する経路情報４０１と、接続経路を識別するための経路名称４０２と、接続経路を構成するネットワーク機器を示すネットワーク機器４０３と、ネットワーク機器４０３がこの経路で使用しているポートを示す使用ポート４０４の各情報で構成する。符号４００ａ〜４００ｃは、接続経路情報４００に格納している接続経路レコードの一例である。例えばレコード４００ｂは、経路情報４０１からＳｅｒｖｅｒ２１とＳｔｏｒｑｇｅ４２の接続経路に関するレコードであり、かつ残帯域がｘｘｘｘであることがわかり、経路名称４０２から経路の名称がＲｏｕｔｅ２であることがわかる。また、ネットワーク機器４０３からＲｏｕｔｅ２の経路を構成するネットワーク機器がＳＷ３１とＳＷ３４とＳＷ３７であることがわかる。さらに、使用ポート４０４からＳＷ３１が、ポート１１と２１、ＳＷ３４がポート１１と２１、ＳＷ３７がポート１１と２２を使用していることが分かる。
【００２７】
図６は、図５で示した接続経路情報４００の各レコードが示す経路で、割当てられているボリュームの情報を示す、ボリューム割当て情報５００のデータ形式の一例である。ボリューム割当て情報５００は、接続経路情報４００のレコードを識別するために用いる経路名称５０１と、この経路で割当てられているボリュームを識別するためのボリューム識別子５０２と、このボリュームを利用するために割当てたネットワークの帯域を示す帯域５０３と、ボリュームを利用するために割当てたストレージ装置のＩＯＰＳを示すＩＯＰＳ５０４の各情報で構成する。符号５００ａ〜５００ｄは、ボリューム割当て情報５００に格納しているレコードの例である。例えば、レコード５００ａと５００ｂは、経路名称５０１からＲｏｕｔｅ１の経路に関するレコードであることが分かり、ボリューム識別子５０２からＲｏｕｔｅ１には、ＬＵ０１とＬＵ０２のボリュームが割当てられていることが分かる。また、帯域５０３とＩＯＰＳ５０４からボリュームＬＵ０１が使用するネットワークの帯域が１００でストレージ装置のＩＯＰＳが１００であり、ボリュームＬＵ０２が使用するネットワークの帯域が８０で、ストレージ装置のＩＯＰＳが１５０であることが分かる。
【００２８】
次に、図７から図１９を用いて、本実施例のストレージエリアネットワーク管理システムにおけるボリューム割当て方法を実現するボリューム割当てプログラム１３の処理手順の一例を説明する。図７は、ボリューム割当てプログラム１３のボリューム割当て時の処理フローである。ボリューム割当てプログラム１３は、処理６０１において、サーバに割当てるボリュームの条件を入力するためのボリューム条件入力画面１１００を出力装置に表示する。図１２は、ボリューム条件入力画面１１００の一例である。ボリューム条件入力画面１１００には、ボリュームを割当てるサーバ名を入力する領域１１０１と、割当てるボリュームの必要容量を入力する領域１１０２と、サーバがボリュームを利用する際に必要とするストレージ装置のＩＯＰＳを入力する領域１１０３と、サーバがボリュームを利用する際に必要とするネットワークの帯域を入力する領域１１０４と、領域１１０１〜１１０４の条件により、ボリュームを割当てるストレージ装置の検索の開始を指示する検索ボタン１１０５と、条件の入力を取り止めるキャンセルボタン１１０６で構成する。ＳＡＮ３の管理者は、ボリューム条件入力画面１１００で、各領域１１０１〜１１０４の条件を入力し、検索ボタン１１０５を選択することで、処理６０２に遷移する。処理６０２では、ボリューム条件入力画面１１００で入力された条件を満たすストレージ装置を検索する。
【００２９】
次に、処理６０３にて、処理６０２で検索した結果により、ボリューム条件入力画面１１００で入力された必要容量とＩＯＰＳを満たすストレージ装置の有無を判定し、ストレージ装置が無かった場合、処理６０４に遷移し、再度条件を入力してストレージ装置の検索又は終了を確認する画面１２００を表示する。図１３は、確認画面１２００の一例である。確認画面１２００には、条件を満たすストレージ装置が無い旨を示すメッセージ１２０１と、再度条件を入力してストレージ装置を検索するための再検索ボタン１２０２と、処理を終了する終了ボタン１２０３で構成する。この画面で選択されたボタンを処理６０５で判定し、再検索を実施する場合、すなわち、再検索ボタン１２０１が選択された場合には、再度、処理６０１から処理を実行する。終了の場合、すなわち終了ボタン１２０２が選択された場合には、ボリューム割当てプログラム１３を終了する。処理６０３で、候補となるストレージ装置が検索できていた場合、処理６０６にて、ボリューム条件入力画面１１００で入力されたネットワーク帯域を満たしてストレージ装置と接続できる経路の有無を判定し、条件を満たす経路がある場合、処理６０７に遷移し、無かった場合、処理６１３に遷移する。
【００３０】
処理６０７では、候補となるストレージ装置の台数を判定する。複数のストレージ装置が候補となった場合は、処理６０８を実施後に処理６０９を実施し、候補のストレージ装置が１台の場合は、処理６０９を実施する。処理６０８では、候補となる複数のストレージ装置から１台を選択するためのストレージ選択画面１３００を表示する。図１４は、ストレージ選択画面１３００の一例である。ストレージ選択画面１３００は、ストレージの候補一覧を表示する領域１３１０と領域１３１０で選択されたストレージ装置にボリュームを割当てることを指示するための割当ボタン１３０５で構成する。領域１３１０には、候補のストレージ装置の名称を示すストレージ名１３０１と、そのストレージ装置の残容量１３０２と、ストレージ装置の残ＩＯＰＳを示すＩＯＰＳ１３０３と、ストレージ装置との接続経路の残帯域１３０４で構成される。符号１３１０ａや１３１０ｂの様に候補となったストレージ装置を表示する。管理者は、領域１３１０に表示したストレージ装置の候補の一覧から、ボリュームを割当てるストレージ装置を選択し、割当ボタン１３０５を選択することで、ボリュームを割当てるストレージ装置を決定する。処理６０９では、割当てを実施していることを表示するボリューム割当中画面１４００を表示する。図１５は、ボリューム割当中画面の一例である。ボリューム割当中画面１４００には、領域１４０１にサーバとストレージ装置とボリュームの容量を表示する。その後、処理６１０にて、選択したストレージ装置に要求された容量のボリュームを作成し、サーバに割当てる。そして、処理６１１で、ボリュームを割当てるサーバと選択したストレージ装置を接続するネットワーク機器に対して、要求された帯域を予約し、処理６１２で、割当てが終了したことを示すボリューム割当完了画面１５００を表示し、処理を終了する。図１６は、ボリューム割当完了画面の一例である。ボリューム割当完了画面１５００には、領域１５０１に割当てが完了したサーバとストレージ装置とボリュームの容量を表示する。
【００３１】
処理６１３から処理６１６は、ボリューム条件入力画面１１００で，入力された必要容量とＩＯＰＳを満たすストレージ装置があるが、そのストレージ装置との接続経路の帯域が、入力された必要帯域を満たさない場合の処理である。まず、処理６１３で、帯域調整確認画面１６００を表示する。図１７は、帯域調整確認画面１６００の一例である。帯域調整確認画面１６００は、ボリュームを割当てるストレージ装置の候補一覧を表示する領域１６１０と、領域１６１０で選択されたストレージ装置とサーバ間の帯域調整を実施することを指示する調整ボタン１６０５と、帯域調整を実施しないことを指示するキャンセルボタン１６０６で構成される。領域１６１０には、候補のストレージ装置の名称を示すストレージ名１６０１とそのストレージ装置の残容量１６０２と、ストレージ装置の残ＩＯＰＳを示すＩＯＰＳ１６０３と、ストレージ装置との接続経路の残帯域１６０４で構成される。符号１６１０ａや１６１０ｂの様に候補となったストレージ装置を表示する。帯域調整をする場合、領域１６１０から調整するストレージ装置を選択し、調整ボタン１６０５を選択する。帯域調整を実施しない場合、キャンセルボタン１６０６を選択する。次に，処理６１４にて、帯域調整確認画面１６００で、選択されたボタンを判定する。キャンセルボタン１６０６が選択された場合、処理を終了する。調整ボタンが選択された場合、処理６１５にて、帯域調整確認画面１６００で選択されたストレージ装置と、ボリュームを割当てるサーバ間の接続経路管理レコードを接続経路情報４００から選択し、処理６１６で帯域調整処理を実施し、処理６０９に遷移する。
【００３２】
次に図８を用いて、処理６０２のストレージ検索処理の詳細を説明する。図８は、入力された条件を満たすストレージ装置を検索する処理フローの一例である。まず、処理７０１にて、ボリュームを割当てるサーバのサーバ管理レコードをサーバ管理情報２００から選択して取得する。次に、処理７０２にて、要求されたボリュームの容量とＩＯＰＳを確保できるストレージ装置をストレージ装置管理情報１００の残容量１０３と残ＩＯＰＳ１０７の値から選択する。次に、処理７０２で条件を満たすストレージ装置を選択できたか否かを判定し、無かった場合、処理を終了し、候補が有った場合、処理７０４を実施する。処理７０４では、サーバと処理７０２で選択してボリュームを割当てるストレージ装置の接続経路レコードを接続経路情報４００から、経路情報４０１の内容を元に選択し、処理を終了する。この時、要求されたネットワークの帯域を確保できる残帯域を示すレコードのみ選択する。
【００３３】
次に図１９を用いて，処理６１６の帯域調整処理の詳細を説明する。図１９は，サーバとストレージ装置間の使用帯域を調整する処理フローの一例である。まず，処理１８０１にて，処理６１５で選択した接続経路管理情報４００の経路名称４０２（図５）とボリューム割当て情報５００の経路名称５０１（図６）が一致するボリューム管理レコードを選択する。次に，処理１８０２にて，帯域調整画面１７００を表示する。図１８は，帯域調整画面１７００の一例である。帯域調整画面は，処理１８０１で取得したボリューム管理レコードの情報を表示する領域１７１０と，サーバとストレージ装置間の残帯域を示す残帯域表示領域１７０５と，ボリューム条件入力画面１１００で入力した必要容量１１０２を表示する要求帯域表示領域１７０６と，調整ボタン１７０７で構成する。ボリューム管理レコード表示領域１７１０は，ボリューム管理レコードのボリューム識別子５０２の内容を表示するボリューム１７０１と，ボリューム１７０１に示したボリュームを利用するために予約している帯域，すなわちボリューム管理レコードの帯域５０３を示す使用帯域１７０２と，調整後の帯域を入力する調整帯域１７０３で構成する。領域１７１０には，処理１８０１で選択したボリューム管理レコードの情報を符号１７１０ａ，１７１０ｂの様に一覧表示する。各調整帯域１７０３に入力された値を元に，残帯域を求め，残帯域１７０５に表示されている値を求めた残帯域の値に変更する。その後，調整ボタン１７０７が選択されると，図１９の処理１８０３に遷移する。処理１８０３では，帯域調整画面１７００で，変更された各ボリュームの予約帯域を変更するため，図１０のネットワーク設定処理を実行する。次に，処理１８０４にて，全てのボリューム管理レコードに対して処理１８０３を実施したか確認し，全レコードに対して実施していない場合，処理１８０３に遷移し，完了している場合，処理を終了する。
【００３４】
次に図９で、処理６１１の詳細を説明する。図９は、ストレージ装置に対して、ボリュームを生成し、そのボリュームをサーバへ割当てることを指示する処理フローの一例である。まず、処理８０１にて、ストレージ装置へボリュームを生成するためのボリューム生成コマンド１０００を生成する。図１１（ａ）にボリューム生成コマンド１０００の形式の一例を示す。ボリューム生成コマンド１０００は、送信データの内容を示しており、ボリュームを生成するためのコマンドであることを示すボリューム生成１００１と、生成するボリュームの容量として指定する容量１００２とからなる。次に、処理８０２にて、ボリュームを生成するストレージ装置に管理ネットワーク２を介して接続し、処理８０３にて、ボリューム生成コマンド１０００を送信する。次に、処理８０４で、ボリューム生成コマンド１０００の実行結果を示す応答であるボリューム生成応答１０１０をストレージ装置から受信する。ボリューム生成応答１０１０は、図１１（ｂ）に一例を示すように、送信データの内容を示す生成完了１０１１と、生成したボリュームを識別するためのボリューム識別子１０１２と、生成したボリュームの容量を示す容量１０１３で構成する。このボリューム生成応答１０１０を受信後、処理８０５で、ボリューム割当コマンド１０２０を生成し、処理８０６にて生成したボリューム割当てコマンド１０２０をストレージ装置へ送信する。ボリューム割当コマンド１０２０は、図１１（ｃ）に一例を示すように、送信データの内容であるボリューム割当てを示すボリューム割当１０２１と、割当てるボリュームの識別子を示すボリューム識別子１０２２と、ボリュームを割当てるサーバとの通信に使用するポートを示すポート１０２３と、ボリュームを割当てるサーバを示すＳｅｒｖｅｒ名１０２４と、ボリュームを割当てるサーバがこのボリュームを利用するために使用するＩＯＰＳを示す、ＩＯＰＳ１０２５で構成される。ボリューム割当コマンド１０２０をストレージ装置へ送信した後、処理８０７で、ボリューム割当コマンド１０２０を実行した結果を示す応答であるボリューム割当応答１０３０を受信し、処理８０８で、ストレージ装置との接続を切断する。ボリューム割当応答１０３０は、図１１（ｄ）に一例を示すように、送信データの内容である割当完了を示す割当完了１０３１と、割当てたボリュームを識別するためのボリューム識別子１０３２と、割当てたボリュームをサーバが利用する際に使用するストレージ装置のポートを示すポート１０３３と、ボリュームを割当てたサーバを示すＳｅｒｖｅｒ名１０３４で構成する。処理８０８でストレージ装置との接続を切断した後、処理８０９で、ボリュームを割当てたストレージ装置に対応するストレージ装置情報１００のストレージ管理レコードの残容量１０３と、残ＩＯＰＳ１０７を割当てたボリュームの容量とＩＯＰＳを減算した値に更新する。
【００３５】
次に、図１０を用いて、処理６１１の処理の詳細を示す。図１０は、ＳＡＮ３を構成するネットワーク機器３１〜３８に対して、帯域を予約する処理のフローの一例である。まず、処理９０１で、処理７０４又は処理６１５で選択した接続経路情報４００の接続経路レコードのネットワーク機器４０３を１件取得し、そのネットワーク機器に関するネットワーク機器管理情報３００のネットワーク機器管理レコードを取得する。次に、処理９０２で、取得したネットワーク機器管理レコードの名称３０１が示す、ネットワーク機器へ送信する帯域予約コマンド１０４０を生成する。帯域予約コマンド１０４０は、図１１（ｅ）に一例を示すように、送信データの内容である帯域の予約コマンドを示す帯域予約１０４１と、帯域を予約するネットワーク機器のポートを示すポート１０４２と、予約する帯域を示す帯域１０４３と、予約する帯域を使用するサーバを示すＳｅｒｖｅｒ名１０４４と、ストレージ装置を示すストレージ１０４４で構成する。次に、処理９０３で、取得したネットワーク機器管理レコードの名称３０１が示すネットワーク機器へ接続し、処理９０４で、生成した帯域予約コマンド１０４０を、接続したネットワーク機器へ送信する。その後、処理９０５で、帯域予約コマンド１０４０に対する応答を示す帯域予約応答１０５０をネットワーク機器から受信する。帯域予約応答１０５１は、図１１（ｆ）に一例を示すように、送信データの内容を示す予約完了１０５１と、帯域を予約したネットワーク機器のポートを示すポート１０５２と、予約した帯域を示す帯域１０５３と、予約した帯域を使用するサーバを示すＳｅｒｖｅｒ名１０５４と、予約した帯域を使用するストレージ装置を示すストレージ名１０５５で構成する。帯域予約応答１０５０を受信後、処理９０６でネットワーク機器との接続を切断し、処理９０７で、処理９０１で取得したネットワーク機器管理レコードの残帯域から予約した帯域を減算した値に更新する。次に、処理９０８にて、接続経路レコードのネットワーク機器４０３が示す全ネットワーク機器に対して、帯域予約を実施したかを確認する。全てのネットワーク機器に帯域予約をしてない場合は、処理９０１に戻り、全ネットワーク機器への帯域予約を完了した場合は、処理９０９へ遷移する。処理９０９では、接続経路管理レコードの経路情報４０１に含まれる残帯域の値を、予約した帯域を減算した値に更新する。次に処理９１０にて、新規ボリュームであるか判断し、新規であれば、処理９１１で、割当てたボリュームに関するボリューム割当てレコードを生成し、ボリューム管理レコード５００に追加し、終了となる。新規ではないと、処理９１２で、ボリューム管理レコードを更新し、終了となる。
【００３６】
以上で、指定された容量と、ＩＯＰＳと、ネットワーク帯域を確保できるストレージ装置を選択し、サーバへボリュームを割当てると共に、ネットワーク機器へ帯域を予約する処理が完了する。
【００３７】
以上、本実施例のストレージエリアネットワーク管理システムにおけるボリューム割当て方法は、サーバ２１〜２４にボリュームを割当てる際に、サーバが必要とするストレージ装置４１〜４５の残容量と残ＩＯＰＳで、割当てるストレージ装置４１〜４５の候補を選択し、選択したストレージ装置４１〜４５から、サーバが必要とするネットワークの帯域を満たす残帯域の接続経路で接続できるストレージ装置４１〜４５選択してボリュームを割当て、更に、サーバ２１〜２４とストレージ装置４１〜４５の接続経路を構成するネットワーク機器３１〜３８に、サーバ２１〜２４とボリュームを生成したストレージ装置４１〜４５が使用する帯域を予約するため、サーバ２１〜２４がストレージ装置４１〜４５のボリュームを利用するためのネットワークの帯域を保証できる効果がある。また、ストレージ装置４１〜４５の設定のみでなく、ネットワーク機器３１〜４８の設定も実施するため、管理工数を削減できる効果もある。
【００３８】
なお、上記実施例で管理装置を説明したが、ネットワーク機器の接続構成情報と接続経路の性能情報、及びストレージ装置の性能情報と容量情報を保存する機能と、情報処理装置が必要とするボリュームの容量及びストレージ装置の性能を満たし、かつ、情報処理装置との間の通信で必要とするネットワークの帯域が設定されるネットワーク機器を接続経路に有するストレージ装置を、保存する情報を元に選択して、情報処理装置にボリュームを割当てるストレージ装置を選択する機能をコンピュータに実現するプログラムであるコンピュータ・ソフトウエア又はプログラムを格納した記録媒体を使用することにより、コンピュータ等を本発明の管理装置とすることができる。また、サーバ又はストレージ装置に管理装置の機能を持たせることにより、本発明の管理装置とすることも可能である。
【図面の簡単な説明】
【００３９】
【図１】本実施例のストレージエリアネットワーク管理システムの構成を端的に示した図。
【図２】ストレージ装置管理情報のデータ形式の一例を示した図。
【図３】サーバ管理情報のデータ形式の一例を示した図。
【図４】ネットワーク機器管理情報のデータ形式の一例を示した図。
【図５】接続経路情報のデータ形式の一例を示した図。
【図６】ボリューム割当て情報のデータ形式の一例。
【図７】ボリューム割当てプログラムの処理フローの一例。
【図８】ボリューム割当てプログラムが、ボリュームを割当てるストレージ装置を選択する処理フローの一例。
【図９】ボリューム割当てプログラムが、ストレージ装置へボリュームの生成と割当てを行う処理フローの一例。
【図１０】ボリューム割当てプログラムが、サーバとストレージ装置を接続するネットワーク機器へ帯域を予約する処理フローの一例。
【図１１】ボリューム割当てプログラムが、サーバやネットワーク機器と送受信するデータの形式の一例。
【図１２】ボリューム条件入力画面の形式の一例。
【図１３】ボリュームを再検索するか確認する確認画面の形式の一例。
【図１４】ストレージ装置選択画面の形式の一例。
【図１５】ボリューム割当て画面の形式の一例。
【図１６】ボリューム割当て完了画面の形式の一例。
【図１７】帯域調整確認画面の形式の一例。
【図１８】帯域調整画面の形式の一例。
【図１９】ボリューム割当てプログラムが、サーバとストレージ装置間の使用帯域を調整する処理フローの一例。
【符号の説明】
【００４０】
１  情報処理装置
２  ネットワーク
３  ストレージエリアネットワーク
４  表示装置
５  キーボード
６  出力装置
７  入力装置
８  演算装置（ＣＰＵ）
９  メモリ
１０  構成情報
１１  ネットワーク通信装置
１２  バス
１３  ボリューム割当てプログラム
１４  通信制御プログラム
２１〜２４  サーバ
３１〜３８  ネットワーク機器
４１〜４５  ストレージ装置
１００  ストレージ装置管理情報
２００  サーバ管理情報
３００  ネットワーク機器管理情報
４００  接続経路管理情報
５００  ボリューム割当て情報
１０００  ボリューム生成コマンド
１０１０  ボリューム生成応答
１０２０  ボリューム割当コマンド
１０３０  ボリューム割当応答
１０４０  帯域予約コマンド
１０５０  帯域予約応答
１１００  ボリューム条件入力画面
１２００  確認画面
１３００  ストレージ装置選択画面
１４００  ボリューム割当中画面
１５００  ボリューム割当完了画面
１６００  帯域調整確認画面
１７００  帯域調整画面
【図１】
2006079386.tif 000003
【図２】
2006079386.tif 000004
【図３】
2006079386.tif 000005
【図４】
2006079386.tif 000006
【図５】
2006079386.tif 000007
【図６】
2006079386.tif 000008
【図７】
2006079386.tif 000009
【図８】
2006079386.tif 000010
【図９】
2006079386.tif 000011
【図１０】
2006079386.tif 000012
【図１１】
2006079386.tif 000013
【図１２】
2006079386.tif 000014
【図１３】
2006079386.tif 000015
【図１４】
2006079386.tif 000016
【図１５】
2006079386.tif 000017
【図１６】
2006079386.tif 000018
【図１７】
2006079386.tif 000019
【図１８】
2006079386.tif 000020
【図１９】
2006079386.tif 000021
【手続補正書】
【提出日】平成16年9月10日(2004.9.10)
【手続補正１】
【補正対象書類名】図面
【補正対象項目名】図１
【補正方法】変更
【補正の内容】
【図１】
2006079386.tif 000022
【手続補正２】
【補正対象書類名】図面
【補正対象項目名】図７
【補正方法】変更
【補正の内容】
【図７】
2006079386.tif 000023
【手続補正３】
【補正対象書類名】図面
【補正対象項目名】図１１
【補正方法】変更
【補正の内容】
【図１１】
2006079386.tif 000024